【事件の表示】
　特許第５９４８５３７号発明「柔軟性のある長繊維不織布」の特許異議申立事件について、次のとおり決定する。
【結　論】
　特許第５９４８５３７号の特許請求の範囲を訂正請求書に添付された訂正特許請求の範囲のとおり、訂正後の請求項〔１−９〕について訂正することを認める。
　特許第５９４８５３７号の請求項１、５〜９に係る特許を維持する。
　特許第５９４８５３７号の請求項２〜４に係る特許についての申立てを却下する。
【理　由】
第１．手続の経緯
　特許第５９４８５３７号の請求項１〜９に係る特許についての出願は、平成２３年５月１７日（優先権主張平成２２年８月３０日、日本国）に特許出願され、平成２８年６月１７日にその特許権の設定登録がされ、その後、その特許について、特許異議申立人岡林茂（以下、「申立人」という。）により特許異議の申立てがされ、平成２９年２月２０日付けで取消理由が通知され、その指定期間内である平成２９年４月１７日に意見書の提出及び訂正の請求（以下、「本件訂正請求」といい、訂正自体を、「本件訂正」という。）があり、その訂正の請求に対して申立人から平成２９年５月１９日付けで意見書が提出されたものである。
第２．訂正の適否についての判断
１．訂正の内容
　本件訂正請求による訂正の内容は、訂正箇所に下線を引いて示すと、以下のとおりである。
（１）訂正事項１
　本件訂正前の特許請求の範囲の請求項１に、
「平均単糸繊度が０．７ｄｔｅｘ以上３．０ｄｔｅｘ以下のポリオレフィン系繊維からなる長繊維不織布であって、融点が７０℃以上であるエステル化合物を繊維重量に対し１．２５ｗｔ％以上５．０ｗｔ％以下で含有し、更にＭＦＲが７０ｇ／１０分以下で融点が１０５℃以下であるポリオレフィン系樹脂を繊維重量に対し１０ｗｔ％以上３０ｗｔ％以下で含有し、タテ方向とヨコ方向の曲げ柔軟度の平均値が５３ｍｍ以下であり、そして結晶化度が５５％以下であることを特徴とする前記長繊維不織布。」とあるのを、
「平均単糸繊度が０．７ｄｔｅｘ以上３．０ｄｔｅｘ以下の
ポリプロピレン
オクタデカン酸のグリセリド
１０ｇ／１０分以上４０ｇ／１０分以下
ポリプロピレン
（２）訂正事項２
特許請求の範囲の請求項２を削除する。
（３）訂正事項３
特許請求の範囲の請求項３を削除する。
（４）訂正事項４
特許請求の範囲の請求項４を削除する。
（５）訂正事項５
　本件訂正前の特許請求の範囲の請求項５に、
「前記長繊維不織布の目付が１０ｇ／ｍ２以上４０ｇ／ｍ２以下である、請求項１〜４のいずれか一項に記載の長繊維不織布。」とあるのを、
「前記長繊維不織布の目付が１０ｇ／ｍ２以上４０ｇ／ｍ２以下である、請求項
１に
（６）訂正事項６
　本件訂正前の特許請求の範囲の請求項６に、
「前記長繊維不織布の摩擦係数が０．５０以下である、請求項１〜５のいずれか一項に記載の長繊維不織布。」とあるのを、
「前記長繊維不織布の摩擦係数が０．５０以下である、請求項１
、及び
（７）訂正事項７
　本件訂正前の特許請求の範囲の請求項７に、
「前記長繊維不織布に凹凸の賦型加工がなされている、請求項１〜６のいずれか一項に記載の長繊維不織布。」とあるのを、
「前記長繊維不織布に凹凸の賦型加工がなされている、請求項１
、５及び
（８）訂正事項８
　本件訂正前の特許請求の範囲の請求項８に、
「請求項１〜７のいずれか一項に記載の長繊維不織布を用いてなる吸収性物品。」とあるのを、
「請求項１
、５、６及び
２．訂正の目的の適否、新規事項の有無、及び特許請求の範囲の拡張・変更の存否、一群の請求項
（１）訂正事項２〜４について
　事案に鑑み、まず、訂正事項２〜４について検討する。
　訂正事項２〜４は、それぞれ請求項２〜４を削除するものであるから、特許請求の範囲の減縮を目的とするものに該当する。そして、これらの訂正事項が新規事項を追加するものでなく、特許請求の範囲の拡張・変更するものでもないことは明らかである。
（２）訂正事項５〜８について
　次に、訂正事項５〜８について検討する。
　上記（１）に示したとおり、訂正事項２〜４は、それぞれ請求項２〜４を削除するものであるところ、それらと整合を図るために、訂正事項５〜８は、引用する請求項から請求項２〜４を削除するものであるから明瞭でない記載の釈明を目的とするものに該当する。そして、これらの訂正事項が新規事項を追加するものでなく、特許請求の範囲を拡張し、又は変更するものでもないことは明らかである。
（３）訂正事項１について
　そして、訂正事項１について検討する。
ア．訂正事項１の内容
　訂正事項１は、以下の訂正事項（１−１）〜（１−３）からなるものである。
　訂正事項（１−１）：本件訂正前の請求項１に、「平均単糸繊度が０．７ｄｔｅｘ以上３．０ｄｔｅｘ以下のポリオレフィン系繊維からなる長繊維不織布」とあるのを、「平均単糸繊度が０．７ｄｔｅｘ以上３．０ｄｔｅｘ以下の
ポリプロピレン
　訂正事項（１−２）：本件訂正前の請求項１に、「長繊維不織布」が、「融点が７０℃以上であるエステル化合物を繊維重量に対し１．２５ｗｔ％以上５．０ｗｔ％以下で含有し」、とあるのを、「融点が７０℃以上である
オクタデカン酸のグリセリド
　訂正事項（１−３）：本件訂正前の請求項１に、「長繊維不織布」が、「更にＭＦＲが７０ｇ／１０分以下で融点が１０５℃以下であるポリオレフィン系樹脂を繊維重量に対し１０ｗｔ％以上３０ｗｔ％以下で含有し」、とあるのを、「更にＭＦＲが
１０ｇ／１０分以上４０ｇ／１０分以下
ポリプロピレン
イ．訂正事項（１−１）について
　訂正事項（１−１）は、本件訂正前の本件請求項１に記載された「ポリオレフィン系」繊維からなる長繊維不織布について、ポリオレフィン系繊維がポリプロピレン繊維であると、技術的に限定する訂正であるから、特許請求の範囲の減縮を目的とするものに該当する。
　本件特許明細書の段落【００３９】には、実施例１について、
「〔実施例１〕
　ＭＦＲが３３ｇ／１０分のポリプロピレン樹脂、ＭＦＲが３３ｇ／１０分ポリプロピレン樹脂と融点が８６〜９０℃（平均融点８８℃）のオクタデカン酸のグリセリド（水添動植物油脂）とからなるマスターバッチおよび融点が１０４℃でＭＦＲが１８ｇ／１０分の低融点ポリプロピレン樹脂（Ｅｘｘｏｎ ｍｏｂｉｌ社製 Ｖｉｓｔａｍａｘｘ６２０２）を低融点ポリプロピレン樹脂が２０ｗｔ％となるように混合し、スパンボンド法により、吐出量０．５６ｇ／分・Ｈｏｌｅ、紡糸温度２５５℃で、フィラメント群を移動捕集面に向けて押し出し、長繊維ウェブを調整した（紡糸速度５０００ｍ／分、平均単糸繊度１．１ｄｔｅｘ）。
　次いで、得られたウェブを、フラットロールとエンボスロール（パターン仕様：直径０．４２５ｍｍ円形、千鳥配列、横ピッチ２．１ｍｍ、縦ピッチ１．１ｍｍ、圧着率６．３％）の間に通して熱と圧力を温度と線圧で調整して繊維同士を接着し、オクタデカン酸のグリセリドを１．２５ｗｔ％含有した目付１７ｇ／ｍ２長繊維不織布を得た。」
　との記載がある。すなわち、本件特許明細書にも、上記実施例１に係る長繊維不織布が、「ＭＦＲが３３ｇ／１０分のポリプロピレン樹脂」と「ＭＦＲが１８ｇ／１０分の低融点ポリプロピレン樹脂」とからなるものであることが記載されていることを踏まえると、訂正事項（１−１）は、願書に添付した明細書、特許請求の範囲又は図面に記載した事項の範囲内の訂正である。
　また、特許請求の範囲を拡張し、又は変更するものではないことは明らかである。
ウ．訂正事項（１−２）について
　訂正事項（１−２）は、本件訂正前の本件請求項１に記載された長繊維不織布が、融点７０℃以上のエステル化合物を、繊維重量に対し１．２５ｗｔ％以上５．０ｗｔ％以下で含有するものであるところ、当該エステル化合物が、オクタデカン酸のグリセリドであることを技術的に限定する訂正であるから、特許請求の範囲の減縮を目的とするものに該当する。
　上記イ．に摘記された本件特許明細書の段落【００３９】には、融点７０℃以上であって、繊維重量に対し１．２５ｗｔ％以上５．０ｗｔ％以下で含有されるエステル化合物として、長繊維不織布に対して「１．２５％含有される」、「融点が８６〜９０℃（平均融点８８℃）のオクタデカン酸のグリセリド（水添動植物油脂）」が記載されている。したがって、訂正事項（１−２）は、願書に添付した明細書、特許請求の範囲又は図面に記載した事項の範囲内の訂正である。
　また、特許請求の範囲を拡張し、又は変更をするものではないことは明らかである。
エ．訂正事項（１−３）について
　訂正事項（１−３）は、本件訂正前の本件請求項１に記載された長繊維不織布が、「ＭＦＲが７０ｇ／１０分以下」である「融点が１０５℃以下であるポリオレフィン系樹脂」を含有するものであるところ、ＭＦＲについて「１０ｇ／１０分以上４０ｇ／１０分以下」と数値範囲を狭め、「ポリオレフィン系樹脂」が、ポリオレフィン系樹脂の一種ある「ポリプロピレン樹脂」であることを限定するものであるから、特許請求の範囲の減縮を目的とするものに該当する。
　上記イ．に摘記された本件特許発明の段落【００３９】には、「融点が１０４℃でＭＦＲが１８ｇ／１０分の低融点ポリプロピレン樹脂（Ｅｘｘｏｎ ｍｏｂｉｌ社製 Ｖｉｓｔａｍａｘｘ６２０２）を低融点ポリプロピレン樹脂」を混合する旨の記載がある。また、本件特許明細書の段落【００２５】には、「・・・低融点ポリオレフィン系樹脂のＭＦＲは・・・特に好ましくは１０ｇ／１０分以上４０ｇ／１０分以下である。ＭＦＲがこの範囲内にあると糸切れなどが非常に少なく紡糸性が優れる。」との記載もある。したがって、訂正事項（１−３）は、したがって、訂正事項（１−３）は、願書に添付した明細書、特許請求の範囲又は図面に記載した事項の範囲内の訂正である。
　また、特許請求の範囲を拡張し、又は変更するものではないことは明らかである。
（４）一群の請求項について
　本件訂正前の請求項２〜９は、請求項１を直接あるいは間接に引用するものであるから、本件訂正は、一群の請求項毎に請求されるものである。
３．小括
　上記２．（１）〜（４）に示したとおり、本件訂正は、特許法第１２０条の５第２項ただし書き第１号及び第３号に掲げる事項を目的とするものであり、かつ、同条第４項及び同条第９項において準用する同法第１２６条第４項から第６項までの規定に適合するので、本件訂正後の請求項〔１−９〕について訂正を認める。
第３．特許異議申立てについて
１．本件発明
　本件訂正請求により訂正された請求項１、５〜９に係る発明（以下「本件発明１」等という。）は、その本件訂正請求書に添付された訂正特許請求の範囲の請求項１、５〜９に記載された事項により特定される、次のとおりのものである。
「【請求項１】
  平均単糸繊度が０．７ｄｔｅｘ以上３．０ｄｔｅｘ以下のポリプロピレン繊維からなる長繊維不織布であって、融点が７０℃以上であるオクタデカン酸のグリセリドを繊維重量に対し１．２５ｗｔ％以上５．０ｗｔ％以下で含有し、更にＭＦＲが１０ｇ／１０分以上４０ｇ／１０分以下で融点が１０５℃以下であるポリプロピレン樹脂を繊維重量に対し１０ｗｔ％以上３０ｗｔ％以下で含有し、タテ方向とヨコ方向の曲げ柔軟度の平均値が５３ｍｍ以下であり、そして結晶化度が５５％以下であることを特徴とする前記長繊維不織布。
【請求項５】
  前記長繊維不織布の目付が１０ｇ／ｍ２以上４０ｇ／ｍ２以下である、請求項１に記載の長繊維不織布。
【請求項６】
  前記長繊維不織布の摩擦係数が０．５０以下である、請求項１、及び５のいずれか一項に記載の長繊維不織布。
【請求項７】
  前記長繊維不織布に凹凸の賦型加工がなされている、請求項１、５及び６のいずれか一項に記載の長繊維不織布。
【請求項８】
  請求項１、５、６及び７のいずれか一項に記載の長繊維不織布を用いてなる吸収性物品。
【請求項９】
  前記吸収性物品が使い捨てオムツ、生理用ナプキンまたは失禁パットのいずれかである、請求項８に記載の吸収性物品。」
２．取消理由の概要
　本件訂正前の請求項１〜９に係る特許に対して平成２９年２月２０日付けで特許権者に通知した取消理由の要旨は、以下のとおりである。なお、申立人が特許異議申立書において記載した全ての取消理由が通知された。
【理由１】本件特許の下記の請求項に係る発明は、本件特許に係る出願（優先日）前日本国内又は外国において頒布された下記の刊行物に記載された発明に基いて、その出願（優先日）前にその発明の属する技術の分野における通常の知識を有する者が容易に発明をすることができたものであるから、特許法第２９条第２項の規定により特許を受けることができない。
　　　　　　　　　　　　　　　　記
・本件発明１〜９について
　以下の、＜刊行物一覧＞に記載した甲第１号証等を、以下、「甲１」等という。また、各甲号証に記載た発明や事項を、以下、「甲１発明」、「甲２事項」等という。
　本件発明１ないし９は、甲１発明及び甲２ないし４事項から、当業者が容易に発明をすることができたものである。 
　　　　　　　　　　＜　刊　行　物　一　覧　＞ 
 １．特開２００９−１３８３１１号公報（本件特許異議申立ての甲第１号証） 
 ２．米国特許第６３４２５６５号明細書（同甲第２号証） 
 ３．「プラスチック・機能性高分子材料事典」編集委員会編、「プラスチック・機能性高分子材料事典」、産業調査会　事典出版センター、２００５年８月１日初版第２刷、８６３〜８６８ページ（同甲第３号証） 
 ４．特表２００９−５３８３９４号公報（同甲第４号証） 
  
【理由２】本件特許の特許請求の範囲の記載は、下記の点で不備のため、特許法第３６条第６項第１号に規定する要件を満たしていない。
　　　　　　　　　　　　　　　　　記
 
（１）本件特許の請求項１に記載された「融点が７０℃以上であるエステル化合物」として、本件特許明細書の発明の詳細な説明に具体的に効果が示されているのは、「オクタデカン酸のグリセリド」だけであるから、本件特許明細書の記載から、上記請求項１の記載にまで、拡張ないし一般化できるとは認められない。 
  
（２）本件特許の請求項１には、「融点が７０℃以上であるエステル化合物」を、繊維重量に対し、「１．２５ｗｔ％以上５．０ｗｔ％以下で含有し」との記載がある。ここで、本件特許明細書の発明の詳細な説明には、「融点が７０℃以上であるエステル化合物」が、「オクタデカン酸のグリセリド」以外の場合において、「１．２５ｗｔ％以上５．０ｗｔ％以下」において、同様な効果が奏されるか否かが、明確に記載されていない。
  
（３）本件特許の請求項１には、「ポリオレフィン系樹脂」の「ＭＦＲが７０ｇ／１０分以下」との記載がある。しかし、本件特許明細書の発明の詳細な説明に具体的な効果が記載されているものは、「ＭＦＲ」が、「１８ｇ／１０分」及び「２５ｇ／１０分」のものだけであり、これら以外のＭＦＲのものであっても、同様な効果が奏されるか不明である。
  
（４）本件特許の請求項１には、「ポリオレフィン系繊維」及び「ポリオレフィン系樹脂」が記載されているが、本件特許明細書の発明の詳細な説明に、具体的な効果が示されているものは、ポリプロピレン系の繊維及び樹脂のみであり、その他のポリオレフィンにおいても同様な効果が奏されるのか不明である。 
  
（５）本件特許の請求項１には、本件特許発明１の「長繊維不織布」の「結晶化度が５５％以下」であるとの記載がある。しかし、甲５によれば、繊維の結晶化度は、繊維形成段階における冷却温度に依存し、その他、冷却条件や延伸条件の影響を受けるにもかかわらず、本件特許明細書の発明の詳細な説明には、どのような繊維形成条件等を採用すれば、課題を解決できるのか、当業者が認識できる程度に具体例又は説明が記載されていない。
 
【理由３】本件特許明細書の、発明の詳細な説明の記載は、下記の点で不備のため、特許法第３６条第４項第１号に規定する要件を満たしていない。  
  
 　　　　　　　　　　　　　　　記 
　本件特許の請求項１には、本件特許発明１の「長繊維不織布」の「タテ方向とヨコ方向の曲げ柔軟度の平均値が５３ｍｍ以下であり、」との記載がある。しかし、本件特許明細書の発明の詳細な説明には、当該記載に係る技術的事項を、どのようにすれば実現できるのかが記載されておらず、かつ、当該事項が当業者にとって自明な事項であるとも認められない。
３．理由１（特許法第２９条第２項）についての当審の判断
（１）本件発明１について
ア．甲１
　甲１には、【請求項１】〜【請求項４】の記載があり、段落【００２９】に実施例３について記載されている。これらの記載から甲１には、以下の甲１発明が記載されている。
「平均単糸繊度が２．０ｄｔｅｘのポリプロピレン繊維からなる長繊維不織布であって、
　融点が８６〜９０℃以上であるオクタデカン酸グリセリドを繊維重量に対し３．５％で含有する長繊維不織布」
イ．対比
　本件発明１と甲１発明とを対比すると、以下の点で相違し、その余で一致する。
＜相違点１＞
　本件発明１の長繊維不織布は、ＭＦＲが１０ｇ／１０分以上４０ｇ／１０分以下であるポリプロンピレン樹脂を、繊維重量に対し１０ｗｔ％以上３０ｗｔ以下で含有するものであるのに対し、甲１発明の長繊維不織布はそのような樹脂を含有しない点。
＜相違点２＞
　本件発明１の長繊維不織布は、タテ方向とヨコ方向の曲げ柔軟度の平均値が５３ｍｍ以下であるのに対し、甲１発明の長繊維不織布の曲げ柔軟度の平均値は不明である点。
＜相違点３＞
　本件発明１の長繊維不織布の結晶化度は５５％以下であるのに対し、甲１発明の長繊維不織布の結晶化度が不明である点。
ウ．相違点についての検討。
　まず、＜相違点１＞について検討する。
　本件特許明細書には以下の記載がある。
「【００１１】
　更に、１２０℃以下の融点を有し、７０ｇ／１０分以下のＭＦＲを有する低融点ポリオレフィン系樹脂には、ポリオレフィン繊維の紡糸時の延伸配向結晶化を抑制し、繊維構造を柔軟にする効果がある。
　即ち本発明の長繊維不織布は、繊維径を特定範囲とし、特定温度の融点を有するエステル化合物により摩擦係数を小さくすることで不織布表面のすべすべ感が発現され、更に、特定温度の融点を有し特定ＭＦＲを有する低融点ポリオレフィン系樹脂によりポリオレフィン系繊維の結晶化を抑制することで繊維自体の柔らかさを発現させる。更に、低融点ポリオレフィン系樹脂によって増加した非晶領域にエステル化合物が更に入り込みやすくなるという相乗効果によって、曲げ柔らかさを高めた、柔軟性、風合いおよび肌触り性に優れたポリオレフィン系長繊維不織布を得ることができ、特に吸収性物品の肌に触れる部分に好適に用いることができる。」
　上記記載から、本件発明１は、ポリプロピレン繊維（ポリオレフィン系繊維）にＭＦＲが１０ｇ／１０分以上４０ｇ／１０分以下であるポリプロンピレン樹脂（ポリオレフィン系樹脂）を含有せしめることで、非晶領域を増加せしめ、オクタデカン酸グリセリド（エステル化合物）が、増加した非晶領域に更に入り込みやすくなるとの相乗効果によって、曲げ柔らかさを高めた、柔軟性、風合いおよび肌触り性に優れたポリオレフィン系長繊維不織布を得ることができるとの格別な作用効果を奏するものである。したがって、本件発明１において、＜相違点１＞に係る構成である長繊維不織布が、ＭＦＲが１０ｇ／１０分以上４０ｇ／１０分以下であるポリプロンピレン樹脂を含有する点は、オクタデカン酸グリセリドを含有する点と一体不可分な構成である。
　また、他の証拠をみても、＜相違点１＞に係る構成を有する長繊維不織布が、ＭＦＲが１０ｇ／１０分以上４０ｇ／１０分以下であるポリプロンピレン樹脂を含有するとともに、オクタデカン酸グリセリドを含有する点は記載されていないし示唆する記載もない。
　そして、本件特許発明１は、＜相違点１＞に係る構成を有する長繊維不織布が、ＭＦＲが１０ｇ／１０分以上４０ｇ／１０分以下であるポリプロンピレン樹脂を含有するとともに、オクタデカン酸グリセリドを含有することで、上記に示した格別な作用効果を奏するものである。
　よって、甲１発明において、＜相違点１＞に係る構成を備えたものとすることは、当業者が容易になし得たものであるとはいえない。
　
エ．小括
　以上のとおりであるから、他の相違点について検討するまでもなく、本件発明１は、甲１発明及び甲２〜４事項に基いて、当業者が容易に発明をすることができたものではない。
　したがって、本件発明１は、特許法第２９条第２項の規定により特許を受けることができないとすることはできない。
（２）本件発明５〜９について
　本件発明５〜９は、上記１．に示したとおりのものである。
　本件発明５〜９は、いずれも本件発明１を引用するものであって、本件発明１に、さらに別の発明特定事項が付加されて、技術的に限定されたものである。
　そうすると、上記（１）に示したように、本件発明１は、甲１発明及び甲２〜４事項に基いて、当業者が容易に発明をすることができたものではないから、本件発明１の発明特定事項を備え、さらに別の発明特定事項が付加されて技術的に限定された本件発明５〜９のいずれも、甲１発明及び甲２〜４事項に基いて、当業者が容易に発明をすることができたものであるとはいえない。
　したがって、本件発明１は、特許法第２９条第２項の規定により特許を受けることができないとすることはできない。
４．理由２（特許法第３６条第６項第１号）についての当審の判断
　上記２．に示した当審が通知した取消理由のうち、特許法第３６条第６項第１号についてのものは、理由２（１）〜（５）にそれぞれ示したとおりのものである。それらについて、検討する。
（１）理由２の（１）及び（２）について
　本件訂正の訂正事項（１−２）によって、訂正前の「エステル化合物」は、上記第２．の２．（３）ウ．に示したとおり、「オクタデカン酸のグリセリド」と本件特許明細書の段落【００３９】の実施例１に記載されたエステル化合物に限定された。
　よって、本件特許の請求項１、５〜９の記載は、上記理由２（１）及び（２）により、特許法第３６条第６項第１号の要件を満たさないとはいえない。
（２）理由２の（３）について
　本件訂正の訂正事項（１−３）によって、訂正前の「融点が１０５℃以下であるポリオレフィン系樹脂」の「ＭＦＲが７０ｇ／１０分以下」との記載のうち、「ＭＦＲ」は、「１０ｇ／１０分以上４０ｇ／１０分以下」と更に限定された。そして、上記第２．の２．（３）エ．に示したとおり、本件特許明細書の段落【００２５】には、「低融点ポリオレフィン系樹脂のＭＦＲは・・・特に好ましくは１０ｇ／１０分以上４０ｇ／１０分以下である。」との記載があるから、本件特許の１、５〜９の記載は、上記理由２（３）により、特許法第３６条第６項第１号の要件を満たさないとはいえない。
（３）理由２の（４）について
　本件訂正の訂正事項（１−１）によって、訂正前の「ポリオレフィン系繊維」は、上記第２．の２．（３）イ．に示したとおり、本件特許明細書の段落【００３９】に示された実施例１に記載された「ポリプロピレン繊維」に限定された。
　よって、本件特許の請求項１、５〜９の記載は、上記理由２（４）により特許法第３６条第６項第１号の要件を満たさないとはいえない。
（４）理由２（５）について
　本件訂正後の本件特許の請求項１は、上記（１）〜（３）に示したように、長繊維不織布の材質と長繊維不織布に含まれるエステル化合物や樹脂の材質が、本件特許明細書の段落【００３９】の実施例１に示されたものに限定された。そして、実施例１について、段落【００３９】及び【００５８】の表１には、溶融樹脂の組成、紡糸温度、紡口ｈｏｌｅ当たりの溶融樹脂の吐出量、紡糸速度、単糸繊度について示されており、当業者であれば、本件発明の「曲げ柔軟性に優れた長繊維不織布を提供する」（段落【０００７】）との課題を解決していることは理解できる。
　よって、本件特許の請求項１、５〜９の記載は、上記理由２（５）により特許法第３６条第６項第１号の要件を満たさないとはいえない。
５．理由３（特許法第３６条第４項第１号）についての当審の判断
　本件特許明細書の段落【００１１】には以下の記載がある。
「【００１１】
　更に、１２０℃以下の融点を有し、７０ｇ／１０分以下のＭＦＲを有する低融点ポリオレフィン系樹脂には、ポリオレフィン繊維の紡糸時の延伸配向結晶化を抑制し、繊維構造を柔軟にする効果がある。
　即ち本発明の長繊維不織布は、繊維径を特定範囲とし、特定温度の融点を有するエステル化合物により摩擦係数を小さくすることで不織布表面のすべすべ感が発現され、更に、特定温度の融点を有し特定ＭＦＲを有する低融点ポリオレフィン系樹脂によりポリオレフィン系繊維の結晶化を抑制することで繊維自体の柔らかさを発現させる。更に、低融点ポリオレフィン系樹脂によって増加した非晶領域にエステル化合物が更に入り込みやすくなるという相乗効果によって、曲げ柔らかさを高めた、柔軟性、風合いおよび肌触り性に優れたポリオレフィン系長繊維不織布を得ることができ、特に吸収性物品の肌に触れる部分に好適に用いることができる。」
　そして、上記第２．の２．（３）イ．に摘記したように、段落【００３９】には、ポリオレフィン系繊維としてポリプロピレン繊維を、ポリオレフィン系樹脂としてポリプロピレン樹脂を、エステル化合物として、オクタデカン酸のグリセリドを採用した実施例１が記載されている。
　以上の記載から、当業者であれば、不織布の曲げ柔軟度が、構成繊維の繊度を細くし、ポリオレフィン系繊維としてポリプロピレン繊維を、ポリオレフィン系樹脂としてポリプロピレン樹脂を、エステル化合物として、オクタデカン酸のグリセリドを採用しつつ、それらを特定の割合で配合することで、低融点ポリプロピレン樹脂によって増加した非晶領域にオクタデカン酸のグリセリドが更に入り込ませることにより曲げ柔らかさが高められることが理解できる。そうすると、本件特許の長繊維不織布の曲げ柔軟度は、上記構成繊維の繊度やポリプロピレン樹脂やオクタデカンのグリセリドのポリプロピレン繊維に対する含有せしめる割合等を変えることで、変化させることができることは明らかであるから、「長繊維不織布のタテ方向とヨコ方向の曲げ柔軟度の平均値が５３ｍｍ以下」とすることが、本件特許明細書の発明の詳細な説明に、当業者が実施できる程度に記載されていない、ということはできない。
６．平成２９年５月１９日付け意見書での申立人の意見について
　申立人は、本件発明１、５〜９について、平成２９年５月１９日付け意見書において、以下の取消理由（１）及び（２）があるとの意見を述べているから検討する。
（１）特許法第２９条第２項の取消理由について
　申立人は、本件発明１、５〜９に対する、特許法第２９条第２項の取消理由について、参考資料１及び２を提出し、「訂正により新たに生じた相違点１’については、参考資料１及び２に記載される公知あるいは周知の技術から容易に想到できる」との意見を述べている。（２ページ下から７行〜１１ページ１行）
　しかし、参考資料１には、ポリプロピレン繊維からなる不織布の柔軟性を改善するために、ポリプロピレン樹脂を加えるとの記載はないし、示唆もない。そして、エステル化合物として、モノステアリン酸グリセロールを用いることが記載されているものの、それが、オクタデカン酸グリセリドを含ませたものと同様の作用を奏するかは参考資料１や他の証拠からは明らかではない。
　また、参考資料２には、低立体規則性ポリプロピレンを加えて柔軟性を向上させる旨の記載はあるものの、エステル化合物として、オクタデカン酸グリセリドを含有せしめる旨の記載はないし、示唆もない。
　そうすると、参考資料１及び２のいずれにも、＜相違点１＞に係る構成を有する長繊維不織布が、ポリプロピレン樹脂を含有するとともに、オクタデカン酸グリセリドを含有する点は記載されていないし示唆されていないから、申立人の意見を採用することはできない。
（２）特許法第３６条第４項第１号の取消理由について
　本件特許明細書の段落【００３６】には、「曲げ柔軟度（ｍｍ）」の測定方法について、「・・・次に、図１の（３）に示したように、ステンレス製の定規を折り重ねて生じたループの方向へ、長手方向に直交した状態でゆっくりとスライドさせ、図１の（４）に示したように、試料の反発力でループが伸びて折り重ねが無くなったときの状態を終点とし、試験片の端と定規間の距離（Ｌ）をスケールで読む。・・・」との記載があるが、「ゆっくりとスライドさせる」とはどの程度であるのかが不明であり、これによって、発明の構成要件「タテ方向とヨコ方向の曲げの柔軟度平均値が５３ｍｍ以下」の数値自体が変動してしまう虞がある。よって、本件発明の詳細な説明の記載は、特許法第３６条第４項第１号の要件に違背するものである旨の意見を述べている。（１１ページ２〜２４行）
　しかし、上記段落【００３６】には、「図１の（４）に示したように、試料の反発力でループが伸びて折り重ねが無くなったときの状態を終点」とするとの記載があり、図１の（３）をみると定規スライドにおいて、定規のスライド方向先端は試料片の表面に接していないもかかわらず、試料片の折り重ねが解消していく状態の図示がある。ここで、あまりに定規を早くスライドさせると、定規のスライド方向先端が試料に衝突することによって折り重ねが拡げられることは明らかであるから、「ゆっくりとスライドさせる」とは、図１の（３）に図示されているように、定規のスライド方向先端部は試料片の表面に接していないもかかわらず、試料片の折り重ねが解消していくような程度のものであることが理解できる。
　したがって、本件特許明細書の発明の詳細な説明の記載が、特許法第３６条第４項第１号の要件を満たしていない、ということはできない。
第４．むすび
　以上のとおりであるから、取消理由通知によって通知された取消理由によっては、本件発明１、５〜９のそれぞれに係る特許を取り消すことはできない。
　また、本件特許の請求項２〜４に係る特許は、訂正により、削除されたため、本件特許の請求項２〜４に対して、申立人がした特許異議の申立てについては、対象となる請求項が存在しない。よって、本件発明２〜４に係る特許異議の申立ては不適法であって、その補正をすることができないものであるから、特許法第１２０条の８で準用する同法第１３５条の規定により、却下すべきものである。
　よって、結論のとおり決定する。
【異議決定日】
平成２９年７月１９日（２０１７．７．１９）
【訂正の要旨】
審決（決定）の【理由】欄参照。
（５７）【特許請求の範囲】
　【請求項１】
　平均単糸繊度が０．７ｄｔｅｘ以上３．０ｄｔｅｘ以下の
ポリプロピレン
オクタデカン酸のグリセリド
１０ｇ／１０分以上４０ｇ／１０分以下
ポリプロピレン
　【請求項２】
（削除）
　【請求項３】
（削除）
　【請求項４】
（削除）
　【請求項５】
　前記長繊維不織布の目付が１０ｇ／ｍ２以上４０ｇ／ｍ２以下である、請求項
１に
　【請求項６】
　前記長繊維不織布の摩擦係数が０．５０以下である、請求項１
、及び
　【請求項７】
　前記長繊維不織布に凹凸の賦型加工がなされている、請求項１
、５及び
　【請求項８】
　請求項１
、５、６及び
　【請求項９】
　前記吸収性物品が使い捨てオムツ、生理用ナプキンまたは失禁パットのいずれかである、請求項８に記載の吸収性物品。